(57)【特許請求の範囲】
【請求項１】
光源ユニットが着脱自在に取り付けられる照明器具であって、
開口が形成され、前記光源ユニットが前記開口を塞ぐように取り付けられる収容部と、
前記開口の周部に配設された縁部と、
前記光源ユニットを保持できるように前記縁部に設けられた窪み部と、
を備え、
前記窪み部は、前記光源ユニットが取り付けられた状態で、前記光源ユニットによって一部が覆われることを特徴とする照明器具。
【請求項２】
前記窪み部は、前記開口よりも前記収容部の側へ窪んでいることを特徴とする請求項１に記載の照明器具。
【請求項３】
前記窪み部は、前記開口の側へ窪んでいることを特徴とする請求項１または請求項２に記載の照明器具。
【請求項４】
前記縁部は、前記光源ユニットの一部に当接することを特徴とする請求項１から請求項３のいずれか一項に記載の照明器具。
【請求項５】
前記収容部は長尺に形成されており、前記窪み部は前記縁部の長手方向における端側、或いは前記縁部の短手方向における端側に形成されたことを特徴とする請求項１から請求項４のいずれか一項に記載の照明器具。
【請求項６】
請求項１から請求項５のいずれか一項に記載の照明器具、及び光源ユニットと、を備え、
前記光源ユニットはカバーを有しており、前記窪み部は、前記光源ユニットが取り付けられた状態で、前記カバーによって一部が覆われることを特徴とする照明装置。
【発明の詳細な説明】
【技術分野】
【０００１】
本発明は、照明器具および照明装置に関するものである。
【背景技術】
【０００２】
従来より長尺状の光源ユニットと、この光源ユニットの一部が挿入される凹部を有する照明器具とを備える照明装置であって、光源ユニットが照明器具に脱着自在に取り付けられている照明装置が提供されている。
【０００３】
例えば、光源ユニットが照射側にカバーを備えている照明装置がある。この照明装置は、光源ユニットが照明器具に取り付けられたときに、カバーの一部が凹部の開口縁と隙間がないように重なることで、光源ユニットを発光させた際に、光源ユニットと照明器具の間が暗くなるのを抑制している。（例えば、特許文献１参照）
【先行技術文献】
【特許文献】
【０００４】
【特許文献１】特開２０１４−０７８５１１号公報
【発明の概要】
【発明が解決しようとする課題】
【０００５】
しかしながら、特許文献１に記載の照明装置は、光源ユニットと照明器具の間に隙間がないように取り付けられている。その為、光源ユニットを照明器具部から取り外すときに、作業者が光源ユニットを掴む箇所がなく作業がし難いという課題があった。
【０００６】
そこで、本発明は、上記のような課題を解決する為になされたもので、照明器具と光源ユニットの着脱が容易にできる照明器具提供を目的とする。
【課題を解決するための手段】
【０００７】
本発明における照明器具は、光源ユニットが着脱自在に取り付けられる照明器具であって、開口が形成され、前記光源ユニットが前記開口を塞ぐように取り付けられる収容部と、前記開口の周部に配設された縁部と、前記光源ユニットを保持できるように前記縁部に設けられた窪み部と、を備えたことを特徴とするものである。
【発明の効果】
【０００８】
本発明の照明器具は、光源ユニットが容易に脱着できるものである。
【図面の簡単な説明】
【０００９】
【図１】実施の形態１における照明装置の斜視図である。
【図２】実施の形態１における照明装置のＡ-Ａ′断面図である。
【図３】実施の形態１における照明装置のＢ部詳細図である。
【図４】実施の形態１における照明装置の分解斜視図である。
【図５】実施の形態１における照明器具の斜視図である。
【図６】実施の形態１における照明器具のＤ-Ｄ′断面図である。
【図７】実施の形態１におけるバネの斜視図である。
【図８】実施の形態１における光源ユニットの斜視図である。
【図９】実施の形態１における光源ユニットのＦ部詳細図である。
【図１０】実施の形態１における光源ユニットの分解斜視図である。
【図１１】実施の形態１における連結金具の斜視図である。
【図１２】実施の形態１における光源ユニットの照明器具への取付工程図である。
【図１３】実施の形態１における照明器具の変形例を示す参考図である。
【図１４】実施の形態１における照明器具の変形例を示す参考図である。
【図１５】実施の形態２における照明装置の分解斜視図である。
【図１６】実施の形態２における光源ユニットのＧ部詳細図である。
【図１７】実施の形態２における照明器具のＨ-Ｈ′断面図である。
【図１８】実施の形態２における照明器具の変形例を示す参考図である。
【図１９】実施の形態２における照明器具の変形例を示す参考図である。
【発明を実施するための形態】
【００１０】
実施の形態１.
本発明の実施の形態１に係る照明装置１の説明をする。
図１は本実施の形態における照明装置の斜視図であり、図２は図１に示す照明装置のＡ−Ａ’断面図であり、図３の（ａ）は図１に示す照明装置のＢ部詳細図であり、図３の（ｂ）は図３の（ａ）に示すＣ−断面図であり、図４は図１に示す照明装置１の分解斜視図であり、図５は図１に示す照明器具の斜視図であり、図６は図５に示す照明器具のＤ−Ｄ’断面図であり、図７は図５の示すバネの斜視図であり、図８の（ａ）は図４に示す光源ユニットの斜視図であり、図８の（ｂ）は図８の（ａ）におけるＥ矢視図であり、図９は図８の（ａ）に示す光源ユニットのＦ部詳細図であり、図１０は図８に示す光源ユニットの分解斜視図であり、図１１は図８の（ａ）に示す連結金具の拡大図であり、図１２は図１に示す照明装置の光源ユニットを照明器具に取り付けする取付工程を示した図である。
【００１１】
はじめに、図１から図３を参照して照明装置１の各部の構成を説明する。
照明装置１は、長尺状の照明器具１００と、照明器具１００に着脱可能に取り付けられる長尺状の光源ユニット２００を備えている。照明器具１００は、光源ユニット２００の一部が収容される収容部１１１が設けられている。
照明器具１００、光源ユニット２００はいずれも長尺状であり、以下の説明において、長手方向を長手方向Ｘ、長手方向Ｘに対する短手方向を短手方向Ｙとし、長手方向Ｘおよび短手方向Ｙそれぞれに直交する方向を上下方向Ｚとする。また、照明装置１が取り付けられる天井などの被取付面側を上方向Ｚ１とし、上方向Ｚ１と反対側であり照明装置１が照射する側を下方向Ｚ２とする。
【００１２】
図４から図７を参照して、照明器具１００の各部の構成を説明する。
照明器具１００は、ボルトなどの固定具を用いて天井などの被取付部に取り付けられるものである。
図４に示すように、照明器具１００は、光源ユニット２００の一部が挿入され取り付けられる取付部１１０と、取付部１１０の長手端部を覆う側板１２０と、照明器具１００の外部から引き込まれた図示しない電源線が挿し込まれる端子台１３０と、光源ユニット２００を保持する為のバネ１４０とを備えている。
【００１３】
図５に示すように、取付部１１０は、長手方向Ｘに沿って形成され光源ユニット２００が挿入される収容部１１１と、短手方向Ｙにおいて収容部１１１の両側に設けられる鍔部１１２、傾斜部１１３とを備えている。
【００１４】
図５および図６に示すように、収容部１１１は、長手方向Ｘに沿って長尺且つ矩形板状に形成された底部１１１ａと、底部１１１ａの長手側辺それぞれから底部１１１ａと直交する方向に延出する一対の側部１１１ｂとを有する凹形状をなし、光源ユニット２００の一部が収納される。
【００１５】
収容部１１１は、底部１１１ａと対向する位置に光源ユニット２００が挿入される開口１１１ｃが形成される。開口１１１ｃは図６に示す仮想点線Ａの位置に設けられている。
【００１６】
底部１１１ａには、商用電源から電力供給をうける為の図示しない電源線を引き込む電源引込孔１１１ａａと、固定具により被取付部へ固定する為の固定孔１１１ａｂが形成されている。
【００１７】
図６に示すように、鍔部１１２は、一対の側部１１１ｂの開口１１１ｃ側の長手側辺それぞれから互いに離れるように対に形成されている。つまり、鍔部１１２は、収容部１１１の開口１１１ｃの短手方向Ｙにおける両側に併設されたものである。
【００１８】
図６に示すように、傾斜部１１３は、短手方向Ｙにおいて収容部１１１の両側に設けられている。
傾斜部１１３は、鍔部１１２の長手側辺より、上方向Ｚ１へ且つ収容部１１１から離れるように形成されている。
【００１９】
図５に示すように、側板１２０は、長手方向Ｘにおける取付部１１０の両端に配設されており、収容部１１１と傾斜部１１３を覆っている。
側板１２０は、収容部１１１と傾斜部１１３の長手方向Ｘの端部を覆う側板本体部１２１と、側板本体部１２１の下方向Ｚ２側の側辺から側板本体部１２１に対して略垂直になるように突設した側板鍔部１２２を有している。この側板鍔部１２２は収容部１１１の底部１１１ａと対向するとともに、底部１１１ａ側および開口１１１ｃ側に窪んだ窪み部１２３が形成されている。この窪み部１２３は、光源ユニット２００が照明器具１００に取り付けられた状態において、一部が光源ユニット２００に覆われる。
【００２０】
側板１２０は、側板鍔部１２２が開口１１１ｃの長手方向Ｘの端部を塞ぐように取付部１１０に配設されている。側板鍔部１２２は鍔部１１２と併設し、開口１１１ｃの周部を囲む縁部１０１を形成する。
なお、鍔部１１２は開口１１１ｃ周部に設けられた縁部１０１の短手方向Ｙ側に位置し、側板鍔部１２２は縁部１０１の長手方向Ｘ側に位置する。
また、側板鍔部１２２は、一部が鍔部１１２と段差を有し、Ｚ方向において重なるように併設されても良い。
【００２１】
図５に示すように、端子台１３０は、収容部１１１の底部１１１ａに固定されており、電源引込孔１１１ａａから引き込まれた図示しない電源線と接続し、商用電源から供給される電力を光源ユニット２００に供給する。
端子台１３０は、矩形箱状に形成された端子台本体部１３１と、電源ユニット２００に電気的に接続する為の端子台接続部１３２とを備えている。
端子台接続部１３２は、端子台電線１３２ａと、端子台電線１３２ａの先端に設けられた端子台コネクタ１３２ｂを備えている。
【００２２】
図５に示すように、バネ１４０は、収容部１１１の底部１１１ａに、長手方向Ｘに沿って対になるよう２つ配設されている。バネ１４０は、光源ユニット２００を照明器具１００に取り付けする取付機構の１つであり、後述する連結金具２６０と係合するものである。
バネ１４０は、ステンレス材料や、バネ鋼材などの弾性材料で形成され、図７に示すように底部１１１ａに固定されるバネ固定部１４１と、円弧形状をしたバネ円弧部１４２と、バネ円弧部１４２の先端に設けられ後述する連結金具２６０に引掛けられるバネ先端部１４３が設けられている。
また、対になるバネ１４０は、バネ先端部１４３が互いに反対方向を向くように底部１１１ａに配設されている。
なお、バネ１４０は、板材の弾性材料を曲げて形成しても良く、線材の弾性材料を曲げて形成しても良い。
【００２３】
図８から図１０を参照して、光源ユニット２００の各部の構成を説明する。
図８から図１０に示すように、光源ユニット２００は、複数の発光素子を有する発光体２１０と、この発光体２１０が取付けられるフレーム２２０と、発光体２１０を覆うようにしてフレーム２２０に取り付けられるカバー部２３０と、光源ユニット２００の長手方向Ｘの端部に配設される蓋２４０を備えている。
また、光源ユニット２００は、発光体２１０に所定の点灯電力を供給する電源装置２５０と、バネ１４０と係合する連結金具２６０とを備えている。
なお、フレーム２２０およびカバー部２３０は、図２に示すように、一部が開口１１１ｃより収容部１１１に挿入される。その為、フレーム２２０およびカバー部２３０の長手方向Ｘにおける長さは、対向する側板鍔部１２２、１２２の端部間の長さに対して、挿入できるように隙間を有して略同じ長さに形成されている。このフレーム２２０およびカバー部２３０と側板鍔部１２２の間にできる隙間は蓋２４０により覆われている。
【００２４】
図１０に示すように、発光体２１０は、長手方向Ｘに沿って長尺に形成された基板２１１と、基板２１１に長手方向Ｘに沿って直線状に実装される複数の発光素子２１２とを備えている。なお、発光素子２１２を直線状に実装する列は一列でも良く、複数列でも良い。
また、発光体２１０の長手方向の一端部には、電源装置２５０との間を電気的に接続するための図示しない電線が接続されている。この電線が電源装置２５０に接続することで、発光体２１０と電源装置２５０が電気的に接続される。
なお、発光素子２１２は、例えば表面実装タイプのＬＥＤ素子であるが、ＣＯＢ型発光モジュールでも良く、有機ＥＬ素子でも良い。
【００２５】
図８および図９に示すように、フレーム２２０は、長手方向Ｘに沿って長尺且つ矩形板状に形成されたフレーム底部２２１と、フレーム底部２２１の長手側辺それぞれからフレーム底部２２１と直交する方向に延出する一対のフレーム側部２２２とで構成されている。
また、各フレーム側部２２２は、先端が曲げ加工されて形成された側部端部２２２ａがそれぞれ設けられている。
【００２６】
図２および図９に示すように、カバー部２３０は、乳白色のアクリル樹脂など拡散性を有する材料により形成されたものであり、発光体２１０を覆うようにフレーム２２０に取り付けられ、発光体２１０から照射される光を拡散させる。
カバー部２３０は図３に示すように、短手方向Ｙにおいて、発光体２１０を覆う外層部２３１と、外層部２３１の各端部より互いに近づくように突設する対になるカバー部底部２３２と、対になるカバー部底部２３２の各端部よりフレーム２２０の側方を覆うようなカバー側部２３３を有している。カバー部２３０は、外層部２３１、カバー部底部２３２、カバー側部２３３が長手方向Ｘへ連続するように形成されている。
なお、カバー部底部２３２およびカバー側部２３３は、反射材料の塗布や二色成形などの方法により、反射性能が高い構成にしても良い。カバー部底部２３２およびカバー側部２３３の反射性能を高くすることで、光源ユニット２００の発光効率を高くすることができる。
【００２７】
図８から図１０に示すように蓋２４０は、光源ユニット２００の長手方向Ｘにおける端部に配設され、発光体２１０が照射する光を長手方向Xへ配光するものである。蓋２４０は、アクリル樹脂など透過性、拡散性を有する材料により形成されている。  蓋２４０は、カバー部２３０の端部に設けられており、光源ユニット２００の長手方向Ｘにおける端部となる蓋端面２４１と、カバー部２３０の外層部２３１と隣接する蓋外層部２４２と、カバー部２３０のカバー部底部２３２と隣接する蓋底部２４３と、を有している。
【００２８】
蓋２４０は、カバー部２３０の長手方向Xの開口を塞ぐとともに、カバー部２３０と接着剤、熱溶着などの接合手段により接合されている。カバー部２３０と蓋２４０は、光源ユニット２００のカバー２０１を形成する。
カバー部底部２３２と蓋底部２４３は、光源ユニット２００が照明器具１００に取り付けられた状態で、それぞれ鍔部１１２と側板鍔部１２２に当接するものであり、カバー部底部２３２と蓋底部２４３は、カバー２０１の底部となるカバー底部２０２を形成している。
【００２９】
図８に示すように、電源装置２５０は、フレーム底部２２１の発光体２１０が取り付けられた面の反対側の面に固定される。
電源装置２５０は、端子台１３０を介して商用電源からの電力を発光体２１０に供給し、発光体２１０を点灯させるものであり、図示しない電源回路が内蔵され長尺形状をした電源本体部２５１と、端子台接続部１３２と接続する電源接続部２５２を備えている。
電源接続部２５２は、電源電線２５２ａと、電源電線２５２ａの先端に設けられ端子台コネクタ１３２ｂと接続する電源コネクタ２５２ｂを備えている。
【００３０】
図１１に示すように、連結金具２６０は、略L形状をしており金具固定部２６１とバネ連結部２６２を有している。連結金具２６０は、光源ユニット２００を照明器具１００に取り付けする取付機構の１つであり、バネ１４０と係合するものである。
なお、金具固定部２６１は保持底面部２２１にネジなどに固定され、バネ連結部２６２はバネ１４０が引っ掛けられる連結開口部２６２ａが形成されている。
【００３１】
図１２を参照して、光源ユニット２００の照明器具１００への着脱作業の概要を説明する。図１２において、
（ａ）は、照明器具１００に光源ユニット２００が取り付けられる前の状態を示す。
（ｂ）は、作業者が光源ユニット２００の連結金具２６０の連結開口部２６２ａにバネ１４０のバネ先端部１４３に引っ掛けた状態を示す。
（ｃ）は、バネ円弧部１４２が連結金具２６０の連結開口部２６２ａに対して摺動する状態を示す。
（ｄ）は、照明器具１００に光源ユニット２００が取り付けられた状態を示す。
【００３２】
はじめに、図１２の（ａ）において、光源ユニット２００は照明器具１００に取り付けられてない状態であり、バネ１４０のバネ先端部１４３は照明器具１００の底面１１１ａに当接している。
【００３３】
次に、図１２の（ｂ）において、作業者がバネ１４０のバネ円弧部１４２がバネ固定部１４１に対して下方向Ｚ２に弾性変形させ、バネ先端部１４３を、連結金具２５０の連結開口部２６２ａに引っ掛ける。
連結金具２５０の連結開口部２５２ａにバネ先端部１４３が引っ掛けられることで、光源ユニット２００は照明器具１００に吊り下げられた状態になる。
また、バネ１４０は、図４に示すように、照明器具１００の長手方向Ｘの両端に配置されている。作業者は反対側のバネ１４０も同様に操作することで、光源ユニット２００は照明器具１００に対して略平行な状態で保持できる。このとき、端子台コネクタ１３２ｂと電源コネクタ２５２ｂを接続する。
【００３４】
次に、図１２の（ｃ）において、作業者が光源ユニット２００の一部を持ち、上方向Ｚ１である被取付部側に押し上げると、バネ１４０の弾性変形が解除され、バネ１４０のバネ円弧部１４２が、連結金具２６０の連結開口部２６２ａに対して摺動し、光源ユニット２００を引き上げる。
【００３５】
次に、図１２の（ｄ）において、作業者が、照明器具１００に光源ユニット２００を差し込むことで、光源ユニット２００は照明器具１００へ装着される。
なお、このとき、カバー２０１のカバー底部２０２が照明器具部１００の縁部１０１を覆うように当接することで、光源ユニット２００がバネ１４０の弾性力に対向するとともに照明器具１００に隙間がないように取り付けられる。
なお、光源ユニット２００が略平行な状態で保持された後に、照明器具１００へ押し上げる取り付け作業に関して説明を行ったが、長手方向Ｘにおいて片方毎に取り付けをしても良い。
【００３６】
また、図１２の（ｃ）において、光源ユニット２００の蓋部２４０側を掴み押し上げると良い。
蓋部２４０側を掴むことで、光源ユニット２００が照明器具１００に取り付けられ蓋側面２４２が側板鍔部１２２と当接した状態において、作業者の指が窪み部１２３に配置され、作業者の指が光源ユニット２００と側板鍔部１２２との間に挟まれることを抑制できる。
蓋部２４０側を掴むことで、カバー底部２０２が縁部１０１と当接するまで光源ユニット２００を保持することができ、バネ１４０の引き上げ力による光源ユニット２００の損傷を防ぐことができる。
【００３７】
光源ユニット２００の照明器具１００から取り外す手順は、取り付けするときと逆の手順により取り外すことができる。
はじめに、図１２の（ｄ）の状態から、作業者は窪み部１２３より光源ユニット２００の蓋２４０側を掴み、図１２の（ｂ）の状態まで引き下げる。
このとき、作業者は、光源ユニット２００の長手方向Ｘの両端部を同時に引き下げても良いが、一方の端部を保持し片側を引き下げた後に、他方側を引き下げると、より容易に光源ユニット２００を引き下げることができる。
【００３８】
次に、図１２の（ｂ）の状態において、作業者は連結金具２５０の連結開口部２５２ａにバネ１４０のバネ先端部１４３が係止している状態を解除し、光源ユニット２００を照明器具１００から取り外す。
【００３９】
このように照明器具１００に窪み部１２３があることで、光源ユニット２００を照明器具１００の取り付けるときには、作業者は光源ユニット２００と照明器具１００との間に指が挟まれるのを防ぐことができる。
また、光源ユニット２００を照明器具２００から取り外すときには、作業者は窪み部１２３を介して光源ユニット２００の蓋底部２４３に指を引っ掛けることができ、光源ユニット２００を保持した状態で引き下げることができる。
つまり、照明器具１００に窪み部１２３を設けることで、光源ユニット２００の照明器具１００への着脱作業を容易にすることができる。
【００４０】
本実施の形態は、光源ユニット２００が着脱自在に取り付けられる照明器具１００が、開口１１１ｃが形成され光源ユニット２００が開口１１１ｃを塞ぐように取り付けられる収容部１１１と、開口１１１ｃの周部に配設された縁部１０１と、縁部１０１に設けられ光源ユニット２００を保持できるように窪んだ窪み部１２３と、を備えたことによって照明器具１００への光源ユニット２００の着脱作業を容易にすることができる。
【００４１】
なお、本実施の形態は、照明器具１００に設けられた窪み部１２３が、底部１１１ａ側に窪んでいることで、光源ユニット２００を照明器具１００に取り付けるときに、作業者の指が光源ユニット２００と照明器具１００の間に挟まれることを抑制することができ、安全性を向上させることができる。
【００４２】
また、本実施の形態は、照明器具１００が窪み部１２３を有しており、窪み部１２３は光源ユニット２００の照射方向と反対側に配置されている。よって、窪み部１２３が、光源ユニット２００の配光特性へ影響を与えるのを抑制することができる。
【００４３】
さらに、本実施の形態の照明装置１は、窪み部１２３が照明器具１００の側板縁部１２２に設けられている。よって、照明装置１の長手方向Ｘおいて連続した形状にすることができる。
【００４４】
次に、図１３および図１４を用いて窪み部１２３の変形例に関して説明をおこなう。
図１３は、照明器具１００Ａ、側板１２０Ａを示している。本実施の形態の変形例として、図１３に示すような側板１２０Ａを備えた照明器具１００Ａでも良い。側板１２０Ａは、側板鍔部１２２Ａに対になるよう形成された窪み部１２３Ａを有している。照明器具１００Ａは、対に形成された窪み部１２３Ａを有していることで、作業者が指を挿し込む箇所が増え掴み易くなっている。
【００４５】
図１４は、照明器具１００Ｂ、側板１２０Ｂを示している。本実施の形態の変形例として、図１４に示すような側板１２０Ｂを備えた照明器具１００Ｂでも良い。側板１２０Ｂは、側板本体部１２１Ｂと側板鍔部１２２Ｂが接続する箇所が内側に凹んだ形状である窪み部１２３Ｂを有している。
側板本体部１２１Ｂと側板鍔部１２２Ｂが接続する箇所が内側に凹んだ形状である窪み部１２３Ｂを有することで、作業者が光源ユニット２００の端部を把持したときに作業者の指と干渉する箇所を少なくすることができ、光源ユニット２００の着脱作業を容易にすることができる。
【００４６】
なお、本実施の形態は、光源ユニット２００の照明器具への着脱作業に関して、作業者が指で保持する方法に関して記載したが、治具などにより光源ユニット２００を掴んでも良い。治具などを用いるときも、窪み部１２３により光源ユニット２００の着脱作業は容易になる。
【００４７】
また、本実施の形態では、バネ１４０が照明装置１の長手方向Ｘへ２箇所配置される取付機構を説明したが、長手方向Ｘの一方は引っ掛けによる係合で、もう一方がバネによる取り付けであっても良い。
【００４８】
また、本実施の形態では、照明器具１００にバネ１４０を設け、光源ユニット２００に連結金具２６０を設ける仕様について説明を行なったが、照明器具１００が連結金具２６０を備え、光源ユニット２００がバネ１４０を備える仕様でも良い。
【００４９】
また、本実施の形態では、照明器具１００に端子台１３０を設け、光源ユニット２００に電源装置２５０を設ける仕様について説明を行なったが、照明器具１００が電源装置２５０を備え、光源ユニット２００が端子台１３０を備える仕様でも良く、どちらか一方が端子台１３０と電源装置２５０を備える仕様でも良い。
【００５０】
実施の形態２．
実施の形態２では、本発明の実施の形態２に係る照明器具１０００について図１５から図１７を参照して説明する。なお、実施形態１と同一又は相当部分には同一符号を付し重複した説明は省略する。
図１５は本実施の形態における照明装置の斜視図であり、図１６は図１５に示す照明器具のＧ部詳細図であり、図１７は図１５に示す照明器具のＨ-Ｈ′断面図である。なお、図１７のＨ−Ｈ′断面図には参考として光源ユニット２００を図示する。
【００５１】
本実施の形態は、鍔部１１２０に窪み部１１２１が設けられた照明器具１０００に関して説明を行う。
図１５に示すように、照明器具１０００は、光源ユニット２００の一部が挿入され取り付けられる取付部１１００と、取付部１１００の長手端部を覆う側板１２０と、照明器具１０００の外部から引き込まれた図示しない電線が挿し込まれる端子台１３０と、光源ユニットを保持するバネ１４０とを備えている。
【００５２】
取付部１１００は、長手方向Ｘに沿って形成された光源ユニット２００が挿入される収容部１１１０と、短手方向Ｙにおいて収容部１１１０の両側に設けられる鍔部１１２０、傾斜部１１３とを備えている。
収容部１１１０は、長手方向Ｘに沿って長尺且つ矩形板状に形成された底部１１１１と、底部１１１１の長手側辺それぞれから底部１１１１と直交する方向に延出する一対の側部１１１２と、を有する凹形状をなし、光源ユニット２００の一部を収納する。
また、収容部１１１０は、底部１１１１と対向する位置に光源ユニット２００が挿入される開口１１１３が形成されている。
【００５３】
図１６および図１７に示すように、鍔部１１１２は、一対の側部１１１２の開口１１１３側の長手側辺それぞれから互いに離れるように対に形成されており、開口１１１３の短手方向Ｙにおける両側に併設されている。なお、なお、鍔部１１１２は開口１１１１３周部に設けられた縁部１００１の短手方向Ｙ側のものである。
【００５４】
鍔部１１２０には窪み部１１２１が設けられている。窪み部１１２１は鍔部１１１０から底部１１１１側へ窪んだ形状であり、短手方向Ｙにおいてバネ１４０に隣接する箇所に形成されている。
【００５５】
光源ユニット２００が照明器具１０００に取り付けられた状態において、鍔部１１２０は光源ユニット２００のカバー部底部２３２に当接し、窪み部１１２１はカバー部底部２３２との間に隙間を形成する。この窪み部１１２１により形成される隙間により、作業者は光源ユニット２００を照明器具１０００から着脱するときに光源ユニット２００を保持することができ、着脱作業を容易にすることができる。
【００５６】
また、窪み部１１２は、短手方向Ｙにおいてバネ１４０に隣接するように設けられている。このことにより、光源ユニット２００を照明器具１０００から取外すときに光源ユニット２００への負荷を抑制することができる。
これは、光源ユニット２００の長手方向Ｘにおける端部を保持し引っ張ると、光源ユニット２００はバネ１４０を支点として、長手方向Ｘにおける光源ユニット２００の端部とバネ１４との距離に引き下げる力を掛け合わせた応力が負荷される。
この応力負荷に対して、窪み部１１２は短手方向Ｙにおいてバネ１４０に隣接するように設けられており、光源ユニット２００を保持する箇所とバネ１４０の距離を小さくすることができる。よって、応力負荷を抑制し、光源ユニット２００への負荷を軽減することができる。
【００５７】
本実施の形態では、照明器具１０００は、鍔部１１１０に短手方向Ｙにおいてバネ１４０と隣接するように窪み部１１１１が設けられており、光源ユニット２００への負荷を抑制して照明器具１０００から取り外すことができる。
【００５８】
次に、図１８および図１９を用いて窪み部１１２１の変形例に関して説明を行なう。
図１８は、窪み部１１２１Ａが形成された照明器具１０００Ａの詳細斜視図であり、図１９は図１８に示すＩ‐Ｉ′断面図である。なお、図１９のＨ−Ｈ′断面図には参考として光源ユニット２００を図示する。本実施の形態の変形例として、図１８に示すような窪み部１１２１Ａを備えた照明器具１０００Ａでも良い。
【００５９】
窪み部１１１１Ａは傾斜部１１３側に傾斜するような凹形状に形成されている。照明器具１０００Ａは、窪み部１１２１Ａが傾斜部１１３側に傾斜するような凹形状に形成されていることで、光源ユニット２００が照明器具１０００Ｂに取り付けられたときに、作業者の指もしくは治具などを挿し込む開口が大きくなっており、より把持しやすくすることができる。
【００６０】
なお、本実施の形態では、窪み部１２３は略四角形状の凹みを図示し説明を行っているが、把持部１０００は円弧形状でも良く、複数の凹凸を有する形状でも良い。
【００６１】
また、実施の形態１および実施の形態２において、照明器具１００および照明器具１０００は逆富士型形状に関して説明を行なったが、本発明に係る照明器具は逆富士型形状に限らず埋め込み型形状の照明器具でも良く、トラフ形状の照明器具でも良い。
【００６２】
以上、本発明の実施の形態について説明したが、これらの実施の形態を組み合わせて実施しても構わない。あるいは、これらの実施の形態を部分的に実施しても構わない。あるいは、これらの実施の形態を部分的に組み合わせて実施しても構わない。なお、本発明は、これらの実施の形態に限定されるものではなく、必要に応じて種々の変更が可能である。
【符号の説明】
【００６３】
Ｘ  長手方向、Ｙ  短手方向、Ｚ  上下方向、Ｚ１  上方向、Ｚ２  下方向、１  照明装置、１００  照明器具、１０１  縁部、１１０  取付部、１１１  収容部、１１１ａ  底部、１１１ａａ  電源引込孔、１１１ａｂ  固定孔、１１１ｂ  側部、１１１ｃ  開口、１１２  鍔部、１１３  傾斜部、１２０  側板、１２１  側板本体部、１２２  側板鍔部、１２３  窪み部、１３０  端子台、１３１  端子台本体部、１３２  端子台接続部、１３２ａ  端子台電線、１３２ｂ  端子台コネクタ、１４０  バネ、１４１  バネ固定部、１４２  バネ円弧部、１４３  バネ先端部、２００  光源ユニット、２０１  カバー、２０２  カバー底部、２１０  発光体、２１１  基板、２１２  発光素子、２２０  フレーム、２２１  フレーム底部、２２２  フレーム側部、２２２ａ  側部端部、２３０  カバー部、２３１  外装部、２３２  カバー部底部、２３３  カバー側部、２４０  蓋、２４１  蓋端面、２４２  蓋側面、２５０  電源装置、２５１  電源本体部、２５２  電源接続部、２５２ａ  電源電線、２５２ｂ  電源コネクタ、２６０  連結金具、２６１  金具固定部、２６２  バネ連結部、２６２ａ  連結開口部、１０００  照明器具、１１００  取付部、１１１０  収容部、１１１１  底部、１１１２  側部、１１１３  開口、１１２０  鍔部、１１２１  窪み部。
【図１】
0006680045.tif 000002
【図２】
0006680045.tif 000003
【図３】
0006680045.tif 000004
【図４】
0006680045.tif 000005
【図５】
0006680045.tif 000006
【図６】
0006680045.tif 000007
【図７】
0006680045.tif 000008
【図８】
0006680045.tif 000009
【図９】
0006680045.tif 000010
【図１０】
0006680045.tif 000011
【図１１】
0006680045.tif 000012
【図１２】
0006680045.tif 000013
【図１３】
0006680045.tif 000014
【図１４】
0006680045.tif 000015
【図１５】
0006680045.tif 000016
【図１６】
0006680045.tif 000017
【図１７】
0006680045.tif 000018
【図１８】
0006680045.tif 000019
【図１９】
0006680045.tif 000020